(57)【要約】【課題】  テレビジョン放送の受信機能が設けられた携帯電話機において、デスクワーク等をしながらでも所望のシーンが放送されたタイミングでこれを視聴することができるうえ、テレビジョン放送の視聴時における消費電力を削減可能とする。【解決手段】  メモリ１３にユーザの所望のキーワードを記憶しておく。制御部１４は、テレビジョンユニット１２で受信されるテレビジョン放送の音声を、音声認識プログラムに基づいて解析し、上記キーワードが含まれているか否かを検出する。制御部１４は、ユーザにより指定されたキーワードが検出（放送）されるまでの間、上記テレビジョン受信手段で受信されたテレビジョン放送信号の映像の表示を停止して音声のみを出力することで省電力化を図り、上記キーワードが検出（放送）された際に、テレビジョン放送の映像及び音声の出力を行う。【選択図】  図１
2006135914.tif 000002
【特許請求の範囲】
【請求項１】
所望のチャネルのテレビジョン放送信号を受信するテレビジョン受信手段と、
上記テレビジョン受信手段で受信されたテレビジョン放送信号の音声出力を得るための音声出力手段と、
上記テレビジョン受信手段で受信されたテレビジョン放送信号の映像出力を得るための表示手段と、
ユーザにより指定されたキーワードを記憶する記憶手段と、
上記テレビジョン放送信号から上記記憶手段に記憶されているキーワードを検出するキーワード検出手段と、
上記キーワード検出手段で上記テレビジョン放送信号から上記記憶手段に記憶されているキーワードが検出されるまでの間、省電力モードに移行して、上記テレビジョン受信手段で受信されたテレビジョン放送信号の映像の表示を停止するように上記表示手段を停止制御し、或いは上記テレビジョン受信手段で受信されたテレビジョン放送信号の音声の出力及び映像の表示を停止するように上記音声出力手段及び表示手段を停止制御し、上記キーワード検出手段で上記テレビジョン放送信号から上記記憶手段に記憶されているキーワードが検出された際に、上記省電力モードからテレビジョン視聴モードに移行して、上記テレビジョン受信手段で受信されたテレビジョン放送信号の音声出力を上記音声出力手段を介して発音制御すると共に、上記テレビジョン受信手段で受信されたテレビジョン放送信号の映像出力を上記表示手段に表示制御する制御手段と
を有する携帯端末装置。
【請求項２】
請求項１に記載の携帯端末装置であって、
上記キーワード検出手段は、
上記テレビジョン放送信号の音声信号の音声認識処理を行う音声認識手段と、
上記音声認識手段により認識された音声と、上記記憶手段に記憶されているキーワードとを比較して、両者の一致を検出する一致検出手段とを有し、
上記制御手段は、上記一致検出手段で上記音声認識手段により認識された音声と、上記記憶手段に記憶されているキーワードとの一致が検出された際に、上記テレビジョン視聴モードに移行して、上記テレビジョン受信手段で受信されたテレビジョン放送信号の音声出力を上記音声出力手段を介して発音制御すると共に、上記テレビジョン受信手段で受信されたテレビジョン放送信号の映像出力を上記表示手段に表示制御すること
を特徴とする携帯端末装置。
【請求項３】
請求項１に記載の携帯端末装置であって、
上記キーワード検出手段は、上記テレビジョン放送信号に重畳されて放送されるキーワードを抽出し、この抽出したキーワードと、上記記憶手段に記憶されているキーワードとを比較することで、上記テレビジョン放送信号から上記記憶手段に記憶されているキーワードを検出すること
を特徴とする携帯端末装置。
【発明の詳細な説明】
【技術分野】
【０００１】
本発明は、携帯型のテレビジョン受像機、テレビジョン放送受信機能を有する携帯電話機，ＰＨＳ電話機（PHS：Personal Handyphone System），ＰＤＡ装置（PDA：Personal Digital Assistant）、ノート型のパーソナルコンピュータ装置等に適用して好適な携帯端末装置に関し、特に、テレビジョン放送の受信中において、通常は、例えば音声のみを出力する等の省電力モードとすることで省電力化を図り、予め登録されたキーワードの放送を検出した際に、省電力モードから復帰して映像及び音声を出力することで、上記キーワードに対応する所望のシーンを見逃すことなく視聴可能とした携帯端末装置に関する。
【背景技術】
【０００２】
今日において、テレビジョン放送受信機能を有する携帯電話機が知られている。具体的には、この携帯電話機の場合、テレビジョン放送受信用のアンテナと選局装置とを有しており、制御部は、アンテナで受信されたテレビジョン放送のうち、ユーザにより指定されたチャネルのテレビジョン放送を選局し、その映像信号を表示部（ＬＣＤ：Liquid Crystal Display）に供給して表示制御し、また、音声信号をスピーカ部を介して発音制御する。これにより、所望のチャネルのテレビジョン放送を視聴可能となっている。
【０００３】
一方、特開２００４−１９１７８０号の公開特許公報（特許文献１）において、イベント等における音響信号から盛り上がり部分を高精度に検出し、その盛り上がり部分にインデックスを付加する音響信号処理装置が開示されている。
【０００４】
この音響信号処理装置は、候補区間抽出部が、振幅計算部で計算された短時間振幅が振幅閾値以上である区間長が時間閾値以上である区間を候補区間とし、また、特徴抽出部が、音響信号から音質に関する音質特徴量を抽出し、盛り上がり時に特有の音質を定量化する。また、候補区間評価部が、各候補区間について振幅や音質に関する特徴量を用いて盛り上がりの程度を表すスコア値を計算し、このスコア値に基づいて真の盛り上がり区間を検出する。そして、索引生成部が、盛り上がり区間の開始位置及び終了位置、スコア値を含むインデックスを生成して出力する。
【０００５】
【特許文献１】特開２００４−１９１７８０号公報（第６頁：図２）
【発明の開示】
【発明が解決しようとする課題】
【０００６】
しかし、携帯電話機でテレビジョン放送を視聴する場合、通信回路と共に上記選局装置や表示部及びスピーカ部等の多数の回路を動作させる必要がある。この中でも、表示部であるＬＣＤの駆動回路やバックライトは消費電力が大きい。このため、バッテリの電力の消費が大きくなり、携帯電話機でテレビジョン放送を長時間視聴することは困難となる問題があった。
【０００７】
一方、例えばデスクワークをしながら携帯電話機でテレビジョン放送を視聴したい場合がある。このような場合、デスクワークにユーザの意識が集中しているため、所望のシーンを見逃すおそれがある。
【０００８】
本発明は、上述の課題に鑑みてなされたものであり、例えばデスクワーク等をしながらでも所望のシーンが放送されたタイミングでこれを視聴することができるうえ、テレビジョン放送の視聴時における消費電力を削減することができるような携帯端末装置の提供を目的とする。
【課題を解決するための手段】
【０００９】
本発明に係る携帯端末装置は、上述の課題を解決するための手段として、
所望のチャネルのテレビジョン放送信号を受信するテレビジョン受信手段と、
上記テレビジョン受信手段で受信されたテレビジョン放送信号の音声出力を得るための音声出力手段と、
上記テレビジョン受信手段で受信されたテレビジョン放送信号の映像出力を得るための表示手段と、
ユーザにより指定されたキーワードを記憶する記憶手段と、
上記テレビジョン放送信号から上記記憶手段に記憶されているキーワードを検出するキーワード検出手段と、
上記キーワード検出手段で上記テレビジョン放送信号から上記記憶手段に記憶されているキーワードが検出されるまでの間、省電力モードに移行して、上記テレビジョン受信手段で受信されたテレビジョン放送信号の映像の表示を停止するように上記表示手段を停止制御し、或いは上記テレビジョン受信手段で受信されたテレビジョン放送信号の音声の出力及び映像の表示を停止するように上記音声出力手段及び表示手段を停止制御し、上記キーワード検出手段で上記テレビジョン放送信号から上記記憶手段に記憶されているキーワードが検出された際に、上記省電力モードからテレビジョン視聴モードに移行して、上記テレビジョン受信手段で受信されたテレビジョン放送信号の音声出力を上記音声出力手段を介して発音制御すると共に、上記テレビジョン受信手段で受信されたテレビジョン放送信号の映像出力を上記表示手段に表示制御する制御手段と
を有する。
【００１０】
このような本発明に係る携帯端末装置は、ユーザにより指定されたキーワードが検出（放送）されるまでの間、制御手段が省電力モードとなり、上記テレビジョン受信手段で受信されたテレビジョン放送信号の映像の表示を停止して音声のみを出力し、或いはテレビジョン放送信号の映像の表示、及び音声の出力をも停止して省電力化を図る。
【００１１】
そして、ユーザにより指定されたキーワードが検出（放送）された際に、制御手段が上記省電力モードからテレビジョン視聴モードに移行して、上記テレビジョン受信手段で受信されたテレビジョン放送信号の音声出力を上記音声出力手段を介して発音制御すると共に、上記テレビジョン受信手段で受信されたテレビジョン放送信号の映像出力を上記表示手段に表示制御する。
【００１２】
これにより、ユーザにより指定されたキーワードが放送されるまでの間、上記省電力モードで消費電力が削減することができ、また、キーワードが放送されたタイミングでテレビジョン放送の視聴を開始可能とすることができる。
【発明の効果】
【００１３】
本発明に係る携帯端末装置は、ユーザにより指定されたキーワードが検出（放送）されるまでの間、テレビジョン放送信号の映像の表示を停止して音声のみを出力し、或いはテレビジョン放送信号の映像の表示、及び音声の出力をも停止し、ユーザにより指定されたキーワードが検出（放送）された際に、テレビジョン放送信号の音声を発音制御すると共に、映像出力を表示制御する。
【００１４】
これにより、ユーザにより指定されたキーワードが放送されるまでの間、消費電力を削減することができ、また、キーワードが放送されたタイミングでテレビジョン放送の視聴を開始可能とすることができる。このため、例えばデスクワーク等をしながらでも所望のシーンが放送されたタイミングでこれを視聴することができるうえ、テレビジョン放送の視聴時における消費電力を削減することができる。従って、携帯端末装置のバッテリの電力を有効に使用することができ、テレビジョン放送の長時間の視聴を可能とすることができる。
【発明を実施するための最良の形態】
【００１５】
本発明は、携帯電話機に適用することができる。
【００１６】
［携帯電話機の構成］
本発明の実施の形態となる携帯電話機は、図１に示すように携帯事業者のコミュニケーションネットワークに接続された基地局との間でデータの送受信を行うアンテナ１及び通信回路２と、受話音声，動画ファイルの音声，音楽データの音声及びテレビジョン放送の音声等の音声出力を得るためのスピーカ部３と、送話音声を集音するマイクロホン部４と、発着信電話番号、送信元，送信先となるユーザの名前、電話や携帯メールの発着信履歴、電話帳，アドレス帳、スケジュール帳や送受信した携帯メールの文章の他、テレビジョン放送の映像等を表示する表示部５と、入力操作を行うための複数のキーが設けられた操作部６とを有している。
【００１７】
また、この携帯電話機は、電話や携帯メールの発着信等を光でユーザに知らせるための発光部７（ＬＥＤ）と、所望の被写体の静止画及び動画を撮像するためのカメラ部８と、電話や携帯メールの発着信等を当該携帯電話機を振動させてユーザに知らせるためのバイブレーションユニット９と、テレビジョンアンテナ１０及び選局部１１で、テレビジョン放送を受信して所望のチャネルを選局するテレビジョンユニット１２とを有している。
【００１８】
また、この携帯電話機は、通信処理プログラム（コミュニケーションプログラム）の他、テレビジョンユニット１２を制御するためのテレビジョンユニット制御プログラム、テレビジョンユニット１２で受信したテレビジョン放送の音声の解析を行う音声認識プログラム、及びユーザにより入力されたキーワード等が記憶されたメモリ１３と、当該携帯電話機全体の動作を制御する制御部１４とを有している。
【００１９】
以下に詳細に説明するが、当該実施の形態の携帯電話機の場合、テレビジョンユニットでテレビジョン放送を視聴する場合、上記「キーワード」が検出されるまでの間は「省電力モード」で動作することで映像出力を停止して音声のみを出力し、上記「キーワード」が検出されたタイミングで「テレビジョン視聴モード」に移行して映像及び音声の出力を得るようになっている。このため、上記メモリ１３には、ユーザが所望する映像に対応する語句を上記「キーワード」として記憶するようになっている。
【００２０】
具体的には、例えば野球中継における、好みの球団の攻撃時のみテレビジョン放送を視聴したい場合は、例えば「好みの球団名」や「攻撃」等の語句を上記キーワードとして入力する。同様に、例えば野球中継における、好みの球団の攻撃時で、なおかつ、好みの選手の攻撃時のみテレビジョン放送を視聴したい場合は、例えば「好みの球団名」、「好みの選手名」や「攻撃」等の語句を上記キーワードとして入力する。
【００２１】
入力するキーワードは、一つであっても複数であってもよい。制御部１４は、入力されたキーワードが複数存在する場合には、この複数のキーワードが所定時間内に全て検出された際に、上記省電力モードから上記テレビジョン視聴モードに移行し（ＡＮＤ検索表示）、或いは複数のキーワードのうち、いずれか一つのキーワードが検出された際に、上記省電力モードから上記テレビジョン視聴モードに移行するようになっている（ＯＲ検索表示）。このようなＡＮＤ検索表示及びＯＲ検索表示は、ユーザが選択設定するようにしてもよいし、例えばデフォルトでＡＮＤ検索表示が設定されており、ユーザに指定されたときのみＯＲ検索表示に切り替えるようにしてもよい。
【００２２】
［テレビジョン放送の受信動作］
次に、このような構成を有する当該実施の形態の携帯電話機のテレビジョン放送の受信時における動作の流れを図２のフローチャートに示す。このフローチャートは、制御部１４が、ユーザから操作部６を介してなされる、テレビジョンユニット１２の駆動指定（＝テレビジョン放送の視聴指定）を検出することでスタートとなる。
【００２３】
この指定操作を検出すると、制御部１４は、まずステップＳ１において、メモリ１３からテレビジョンユニット制御プログラムを読み出し、このテレビジョンユニット制御プログラムに基づいて、キーワードの入力画面を表示部５に表示制御する。
【００２４】
ユーザは、この入力画面に対して、操作部６を操作して、前述した一つ或いは複数のキーワードの入力を行う。制御部１４は、ステップＳ２において、操作部６の操作状態を検出することで、ユーザによりキーワードの入力がなされたか否かを判別し、入力されたキーワードの決定操作を検出したタイミングで、該入力されたキーワードをメモリ１３に記憶制御して処理をステップＳ３に進める。
【００２５】
ステップＳ３では、制御部１４が、上記テレビジョンユニット制御プログラムに基づいて、テレビジョンユニット１２を駆動制御し、ユーザにより指定されたチャネルのテレビジョン放送信号のうち、映像信号を表示部５に供給し、音声信号をスピーカ部３に供給する制御を、例えば１分間等の所定時間行う。
【００２６】
詳細には、図３は、当該携帯電話機の要部のブロック図なのであるが、この図３に示すように、制御部１４は、テレビジョンユニット１２の選局部１１で選局されたチャネルのテレビジョン放送の音声信号をＳＰアンプ２５に所定時間供給し、上記選局されたチャネルのテレビジョン放送の映像信号をＬＣＤコントローラ２３に所定時間供給する。
【００２７】
なお、この図３における各部には、電源回路２１からの電源が供給されており、常時駆動されている。
【００２８】
ＳＰアンプ２５は、上記音声信号をユーザにより指定された利得で増幅し、これをスピーカ部３に供給する。これにより、ユーザが指定した音圧で、上記音声信号に対応する音声がスピーカ部３を介して、上記所定時間発音されることとなる。
【００２９】
ＬＣＤコントローラ２３は、上記映像信号に基づいて、液晶表示部（ＬＣＤ）となっている表示部５をＬＣＤドライバ２４を介して駆動する。これにより、ユーザにより選局されたチャネルのテレビジョン放送の映像が上記所定時間、表示されることとなる。
【００３０】
すなわち、キーワードの入力を行ってから、例えば１分間等の所定時間、テレビジョン放送の視聴を行うことができることとなる。
【００３１】
次に、上記所定時間、映像信号及び音声信号の出力を行うと、制御部１４は処理をステップＳ４に進め、このステップＳ４において、表示部５に供給する電源、及び図３に示す表示部５のバックライト２５に供給している電源を停止するように電源回路２１を制御して「省電力モード」に移行する。
【００３２】
これにより、テレビジョンユニット１２で受信されているテレビジョン放送のうち、映像の出力は停止され、音声の出力のみが行われることとなる。すなわち、当該携帯電話機のスピーカ部３からテレビジョン放送の音声のみが発音されている状態となる。従って、表示部５及びバックライト２５に供給する電源を削減することができる分、当該携帯電話機の省電力化を図ることができる。
【００３３】
なお、この例では、制御部１４は、「省電力モード」に移行する際に、表示部５及びバックライト２５に供給する電源を停止制御することとしたが、これは、
１．バックライト２５に供給する電源のみ停止制御、
２．表示部５，ＬＣＤコントローラ２３，ＬＣＤドライバ２４及びバックライト２５に供給する電源を停止制御、
３．上記１又は２の制御と併せて、ＳＰアンプ２５に供給する電源を停止制御
してもよい。ＳＰアンプ２５に供給する電源を停止制御した場合には、上記所定時間の経過後は、以下に説明するキーワードが検出されるまでの間、受信しているテレビジョン放送の音声及び映像が両方とも出力されないこととなる。
【００３４】
次に、「省電力モード」に移行すると、ステップＳ５において、メモリ１３に記憶されている音声認識プログラムに基づいて、受信中のテレビジョン放送の音声の音声認識処理が行われる。
【００３５】
具体的には、この携帯電話機の場合、図３に示すように選局部１１からのアナログ音声信号は、ＳＰアンプ２５を介してアナログ／デジタル変換部２６（Ａ／Ｄ変換部）に供給され、このＡ／Ｄ変換部２６によりデジタル音声信号とされてデジタルシグナルプロセッサ２２（ＤＳＰ）に供給されるようになっている。ＤＳＰ２２は、この「省電力モード」の間、上記音声認識プログラムに基づいて、上記Ａ／Ｄ変換部２６から供給されるデジタル音声信号の音声認識処理を行う。そして、この音声認識結果を制御部１４に供給する。
【００３６】
制御部１４は、ステップＳ６において、ＤＳＰ２２からの音声認識結果と、メモリ１３に記憶されているキーワードとを比較し、両者が一致したか否か（＝キーワードが検出されたか否か）を判別する。そして、ＤＳＰ２２からの音声認識結果と、メモリ１３に記憶されているキーワードとの一致を検出したタイミングで処理をステップＳ７に進める。なお、このような一致検出処理は、前述のＡＮＤ検索及びＯＲ検索のうち、どちらを用いてもよい。
【００３７】
次に、ＤＳＰ２２からの音声認識結果と、メモリ１３に記憶されているキーワードとの一致が検出されることで処理をステップＳ７に進めると、制御部１４は、「テレビジョン視聴モード」に移行し、上記ステップＳ４において停止制御していた各部への電源供給を再開するように電源回路２１を制御する。
【００３８】
すなわち、上記「省電力モード」に移行した際に、表示部５及びバックライト２５に供給する電源を停止制御していた場合、制御部１４は、この表示部５及びバックライト２５に対して電源の供給を再開するように電源回路２１を制御する。或いは、バックライト２５に供給する電源のみ停止制御していた場合、制御部１４は、このバックライト２５に対して電源の供給を再開するように電源回路２１を制御する。
【００３９】
同様に、表示部５，ＬＣＤコントローラ２３，ＬＣＤドライバ２４及びバックライト２５に供給する電源を停止制御していた場合、制御部１４は、この表示部５，ＬＣＤコントローラ２３，ＬＣＤドライバ２４及びバックライト２５に対して電源の供給を再開するように電源回路２１を制御する。
【００４０】
同様に、上記表示部５等への電源停止制御と併せて、ＳＰアンプ２５に供給する電源を停止制御していた場合、制御部１４は、この表示部５等及びＳＰアンプ２５に対して電源の供給を再開するように電源回路２１を制御する。
【００４１】
これにより、キーワードと同じ語句が放送されたタイミングで、表示部５に対して映像が表示され、スピーカ部３を介して音声が発音され、テレビジョン放送を視聴することが可能となる。
【００４２】
次に、当該実施の形態の携帯電話機の場合、「省電力モード」から「テレビジョン視聴モード」に移行した場合、ユーザからの「省電力モード」への移行指示を待って、再度「省電力モード」への移行するようになっている。すなわち、「テレビジョン視聴モード」に移行したということは、ユーザが希望するキーワードが放送されたことを意味し、現在、ユーザがテレビジョン放送を視聴中である可能性が高い。
【００４３】
このため、制御部１４は、ステップＳ８において、操作部６の操作状況を監視することで、ユーザから再度、「省電力モード」への移行が指示されたか否かを判別する。そして、この移行指示を検出するまでの間は、「テレビジョン視聴モード」において、テレビジョン放送の視聴が可能なように各部を制御し、上記移行指示を検出したタイミングで処理をステップＳ４に戻し、再度、「省電力モード」へ移行する。これにより、再度、キーワードが検出されるまでの間、前述の省電力化がはかられることとなる。
【００４４】
なお、「省電力モード」から「テレビジョン視聴モード」に移行したタイミングで計時を開始し、所定時間が経過したタイミングで、再度、「テレビジョン視聴モード」から「省電力モード」へ移行するようにしてもよい。
【００４５】
［実施の形態の効果］
以上の説明から明らかなように、この実施の形態の携帯電話機は、ＤＳＰ２２が、テレビジョンユニット１２で受信されるテレビジョン放送の音声を、音声認識プログラムに基づいて解析し、制御部１４が、この解析結果に基づいて、メモリ１３に記憶されているキーワードと同じ語句が放送されているか否かを検出する。制御部１４は、ユーザにより指定されたキーワードが検出（放送）されるまでの間、少なくともテレビジョン放送信号の映像の表示を停止して音声のみを出力する。そして、上記キーワードが検出（放送）された際に、テレビジョン放送の映像及び音声の出力を行う。
【００４６】
これにより、ユーザにより指定されたキーワードが検出（放送）されるまでの間、少なくとも上記映像を出力しない分、省電力化を図ることができる。また、キーワードが検出（放送）されたタイミングでテレビジョン放送の視聴を開始することができる。このため、省電力化を図ったうえで、所望のシーンが放送されたタイミング（＝所望のキーワードが放送されたタイミング）でこれを視聴可能とすることができる。従って、当該携帯端末装置の電源回路２１の電力を有効に使用することができ、テレビジョン放送の長時間の視聴を可能とすることができる。
【００４７】
［変形例］
上述の実施の形態の説明では、本発明を携帯電話機に適用することとしたが、これは、携帯型のテレビジョン受像機、テレビジョン放送受信機能を有するＰＨＳ電話機（PHS：Personal Handyphone System），ＰＤＡ装置（PDA：Personal Digital Assistant）、ノート型のパーソナルコンピュータ装置等の他の携帯端末装置に適用してもよい。
【００４８】
また、上述の実施の形態の説明では、テレビジョンアンテナ１０及び選局部１１により所望のチャネルのテレビジョン放送を受信することとしたが、これは、アンテナ１及び通信回路を介して、いわゆるストリーミング形式のテレビジョン放送を受信するようにしてもよい。テレビジョン放送をストリーミング形式で受信することで、テレビジョンアンテナ１０及び選局部１１を省略化することができ、当該携帯電話機の構成の簡略化を図ることができる。
【００４９】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００５０】
【図１】本発明を適用した実施の形態の携帯電話機のブロック図である。
【図２】実施の形態の携帯電話機の要部のブロック図である。
【図３】実施の形態の携帯電話機のテレビジョン放送の受信時の動作の流れを示すフローチャートである。
【符号の説明】
【００５１】
１  アンテナ、２  通信回路、３  スピーカ部、４  マイクロホン部、５  表示部、６  操作部、７  発光部（ＬＥＤ）、８  カメラ部、９  バイブレーションユニット、１０  テレビジョンアンテナ、１１  選局部、１２  テレビジョンユニット、１３  メモリ、１４  制御部、２２  デジタルシグナルプロセッサ（ＤＳＰ）、２３  ＬＣＤコントローラ、２４  ＬＣＤドライバ、２５  スピーカアンプ（ＳＰアンプ）、２６  アナログ／デジタル変換部（Ａ／Ｄ変換部）
【図１】
2006135914.tif 000003
【図２】
2006135914.tif 000004
【図３】
2006135914.tif 000005